(57)【要約】【課題】原稿読取装置において、原稿の接近センサを省略すると共に読取りヘッドによる原稿の読取り開始と読取り終了のタイミングを原稿の種類に関わらず常に適正なタイミングに制御する。【解決手段】原稿読取装置１は、原稿Ｄを送り出すフィードローラ１８、１９、２３と原稿Ｄを読取りヘッド３に対して密着させる原稿押さえプレート２１と原稿Ｄの読取り開始と読取り終了のタイミングを制御する読取制御装置２２を備える。原稿押さえプレート２１の読取りヘッド３に対向する面上に読取りヘッド３による読取りラインＬに沿って赤、緑、青色のドットｄｒ、ｄｇ、ｄｂが配置され、読取制御装置２１は、読取りヘッド３からの画像情報中にドットの画像が含まれる状態から含まれない状態に変化するタイミングに基づいて原稿Ｄの読取りを開始し、画像情報中にドットの画像が含まれない状態から含まれる状態に変化するタイミングに基づいて原稿Ｄの読取りを終了する。【選択図】図２
2008104099.tif 000002
【特許請求の範囲】
【請求項１】
給紙トレイ上の原稿の有無を検出する原稿センサと、
前記原稿センサによって原稿が有ることが検出されたときに前記給紙トレイ上の原稿を副走査方向に沿って読取り位置に送り出すフィードローラと、
前記フィードローラによって前記読取り位置に送り出された原稿を主走査方向に沿ったラインごとに読取る読取りヘッドと、
前記読取り位置において原稿を前記読取りヘッドに対して密着させる原稿押さえプレートと、
前記読取りヘッドによる原稿の読取り開始と読取り終了のタイミングを制御する読取制御手段と、を備える原稿読取装置において、
前記原稿押さえプレートの前記読取りヘッドに対向する面上に、前記読取りヘッドによる読取りラインに沿って赤、緑、青にそれぞれ着色されたドットが互いに離間して配置され、
前記読取りヘッドによって読取られるラインごとの画像情報中に前記ドットの画像が含まれるか否かを検出するパターン検出手段と、
前記パターン検出手段によって前記読取りヘッドにより読取られる画像情報中に前記ドットの画像が含まれる状態から含まれない状態に変化するタイミングを検出する原稿読取り開始タイミング生成手段と、
前記パターン検出手段によって前記読取りヘッドにより読取られる画像情報中に前記ドットの画像が含まれない状態から含まれる状態に変化するタイミングを検出する原稿読取り終了タイミング生成手段と、を備え、
前記読取制御手段は、前記原稿読取り開始タイミング生成手段が生成したタイミングに基づいて原稿の読取りを開始し、前記原稿読取り終了タイミング生成手段が生成したタイミングに基づいて原稿の読取りを終了することを特徴とする原稿読取装置。
【請求項２】
給紙トレイ上の原稿の有無を検出する原稿センサと、
前記原稿センサによって原稿が有ることが検出されたときに前記給紙トレイ上の原稿を副走査方向に沿って読取り位置に送り出すフィードローラと、
前記フィードローラによって前記読取り位置に送り出された原稿を主走査方向に沿ったラインごとに読取る読取りヘッドと、
前記読取り位置において原稿を前記読取りヘッドに対して密着させる原稿押さえプレートと、
前記読取りヘッドによる原稿の読取り開始と読取り終了のタイミングを制御する読取制御手段と、を備える原稿読取装置において、
前記原稿押さえプレートの前記読取りヘッドに対向する面上に、前記読取りヘッドによる読取りラインに沿って特定のカラーパターンが付され、
前記読取りヘッドによって読取られるラインごとの画像情報中に前記カラーパターンが含まれるか否かを検出するパターン検出手段と、
前記パターン検出手段によって前記読取りヘッドにより読取られる画像情報中にカラーパターンが含まれる状態から含まれない状態に変化するタイミングを検出する原稿読取り開始タイミング生成手段と、
前記パターン検出手段によって前記読取りヘッドにより読取られる画像情報中にカラーパターンが含まれない状態から含まれる状態に変化するタイミングを検出する原稿読取り終了タイミング生成手段と、を備え、
前記読取制御手段は、前記原稿読取り開始タイミング生成手段が生成したタイミングに基づいて原稿の読取りを開始し、前記原稿読取り終了タイミング生成手段が生成したタイミングに基づいて原稿の読取りを終了することを特徴とする原稿読取装置。
【請求項３】
前記カラーパターンが赤、緑、青に着色されたドット又はラインから構成されることを特徴とする請求項２に記載の原稿読取装置。
【発明の詳細な説明】
【技術分野】
【０００１】
本発明は、原稿読取装置に関し、詳しくは原稿を原稿の読取り位置へ自動的に送り出す自動給紙装置（ＡＤＦ）付きの原稿読取装置に関する。
【背景技術】
【０００２】
スキャナ、コピー機等の原稿読取装置においては、一般に、多数枚の読取り原稿を効率良く読取るために原稿の自動給紙装置（ＡＤＦ）を備えている。そしてそれらの原稿読取装置では、自動給紙装置によって読取り位置に送られてきた原稿を読取り位置の読取りヘッドによって正確なタイミングで読取るために、原稿の先端が読取り位置に接近してきたことを検出するセンサが設けられている。
【０００３】
例えば、原稿ガラスの上方を覆う開閉蓋に原稿の自動給紙ユニットが付設された画像読取装置が知られている。この画像読取装置の自動給紙ユニットでは、原稿トレイが排紙トレイの上方に排紙トレイと略平行に設けられ、上方の原稿トレイから送り出された原稿がいわゆるＵターンパスを通って下方の排紙トレイに排出され、Ｕターンパスの途中に原稿端部の検出センサが設けられている（例えば、特許文献１参照）。
【０００４】
また、ファクシミリ装置において原稿の自動給紙装置を備え、読取り開始位置（読取りヘッド）に搬送されてきた原稿の先端を、光源からの光を斜めに照射することによって原稿の先端に形成される黒色の影により検出するように構成されたものが知られている（例えば、特許文献２参照）。
【０００５】
同じくファクシミリ装置において、光源から出射された光が原稿によって反射されて光源と同一側に設けられたイメージセンサに到達しイメージセンサによって白色が認識される場合には原稿が読取り開始位置に到達していると判断し、光源から出射された光が反射されずにイメージセンサに到達せずイメージセンサが黒色を認識する場合には原稿が読取り開始位置に到達していないと判断するように構成されたものが知られている（例えば、特許文献３参照）。
【０００６】
一方、フラットベッドタイプの画像読取装置において、原稿が原稿ガラスの上にずれて載置された場合にも、正確に原稿の先端を検出する画像読取装置が知られている（例えば、特許文献４参照）。
【特許文献１】特開２００５−２４５００１号公報
【特許文献２】特開２００５−５７４８３号公報
【特許文献３】特開２００３−３１９１４０号公報
【特許文献４】特開２００５−２６０５３０号公報
【発明の開示】
【発明が解決しようとする課題】
【０００７】
上記特許文献１に記載された画像読取装置のように、原稿読取りヘッドの前段に原稿の先端が読取り位置に接近してきたことを検出する専用のセンサ又はメカスイッチ（以下、接近センサという）が設けられる場合には、原稿の先端の接近を確実に検出することができるという長所はあるが、接近センサは、原稿が原稿読取りヘッドに接近した位置への到達を検出するものであって、実際に原稿が原稿読取りヘッドに到達したタイミングを検出するものではないために、次のような不具合が生じる可能性がある。
【０００８】
すなわち、原稿読取りヘッドが読取りを開始するタイミングは、実際に原稿が原稿読取りヘッドの位置に到達したタイミングと一致していなければならないが、接近センサは読取りヘッドとは離間した位置に設けられるので、実際に原稿が読取りヘッドに到達するタイミングは、接近センサが原稿の接近を検出したタイミングに原稿送りローラの所定回転時間を加算する等して推定される。
【０００９】
ところが、原稿が接近センサから原稿読取りヘッドにまで送られる間には原稿を読取り位置へ送り出すフィードローラと原稿との間にスリップが生じる可能性があり、スリップが生じると実際に原稿が原稿読取りヘッドの位置に到達するタイミングと原稿読取りヘッドが読取りを開始するタイミングとの間に齟齬が生じる。両者のタイミングに齟齬が生じると、原稿の先端の読取りが正常になされない等の不具合が生じる。
【００１０】
一方、特許文献２及び３に記載されたファクシミリ装置のように、読取部自体が原稿の先端を検出するように構成される場合には、原稿が実際に読取部に到達したタイミングを検出できて上記の不具合は解消されるが、読取部が原稿の先端（後端）を検出する確実性については問題がある。
【００１１】
すなわち、特許文献２及び３に記載されたファクシミリ装置では、読取部が単純な黒色又は白色を検出することによって原稿の先端を検出するように構成されているので、原稿によっては読取部が原稿の先端であると誤って認識する模様が付されている（例えば、単純な黒色のラインや黒色の領域が原稿の先端に記されている場合）可能性があり、その場合には読取部は正確に原稿の先端を検出することが困難になる。
【００１２】
そこで、本発明は、原稿の自動給紙装置を備える原稿読取装置において、読取りヘッド自体でもって原稿の先端の読取り位置への到達と原稿の後端の読取り位置への到達を検出することができて接近センサを省略することができ、かつ原稿の種類の如何に関わらず読取りヘッドによる読取り開始と読取り終了のタイミングを適正なタイミングに制御できる原稿読取装置を提供することを目的とする。
【課題を解決するための手段】
【００１３】
上記目的を達成するために、請求項１の発明は、給紙トレイ上の原稿の有無を検出する原稿センサと、前記原稿センサによって原稿が有ることが検出されたときに前記給紙トレイ上の原稿を副走査方向に沿って読取り位置に送り出すフィードローラと、前記フィードローラによって前記読取り位置に送り出された原稿を主走査方向に沿ったラインごとに読取る読取りヘッドと、前記読取り位置において原稿を前記読取りヘッドに対して密着させる原稿押さえプレートと、前記読取りヘッドによる原稿の読取り開始と読取り終了のタイミングを制御する読取制御手段と、を備える原稿読取装置において、前記原稿押さえプレートの前記読取りヘッドに対向する面上に、前記読取りヘッドによる読取りラインに沿って赤、緑、青にそれぞれ着色されたドットが互いに離間して配置され、前記読取りヘッドによって読取られるラインごとの画像情報中に前記ドットの画像が含まれるか否かを検出するパターン検出手段と、前記パターン検出手段によって前記読取りヘッドにより読取られる画像情報中に前記ドットの画像が含まれる状態から含まれない状態に変化するタイミングを検出する原稿読取り開始タイミング生成手段と、前記パターン検出手段によって前記読取りヘッドにより読取られる画像情報中に前記ドットの画像が含まれない状態から含まれる状態に変化するタイミングを検出する原稿読取り終了タイミング生成手段と、を備え、前記読取制御手段は、前記原稿読取り開始タイミング生成手段が生成したタイミングに基づいて原稿の読取りを開始し、前記原稿読取り終了タイミング生成手段が生成したタイミングに基づいて原稿の読取りを終了することを特徴とする。
【００１４】
請求項２の発明は、給紙トレイ上の原稿の有無を検出する原稿センサと、前記原稿センサによって原稿が有ることが検出されたときに前記給紙トレイ上の原稿を副走査方向に沿って読取り位置に送り出すフィードローラと、前記フィードローラによって前記読取り位置に送り出された原稿を主走査方向に沿ったラインごとに読取る読取りヘッドと、前記読取り位置において原稿を前記読取りヘッドに対して密着させる原稿押さえプレートと、前記読取りヘッドによる原稿の読取り開始と読取り終了のタイミングを制御する読取制御手段と、を備える原稿読取装置において、前記原稿押さえプレートの前記読取りヘッドに対向する面上に、前記読取りヘッドによる読取りラインに沿って特定のカラーパターンが付され、前記読取りヘッドによって読取られるラインごとの画像情報中に前記カラーパターンが含まれるか否かを検出するパターン検出手段と、前記パターン検出手段によって前記読取りヘッドにより読取られる画像情報中にカラーパターンが含まれる状態から含まれない状態に変化するタイミングを検出する原稿読取り開始タイミング生成手段と、前記パターン検出手段によって前記読取りヘッドにより読取られる画像情報中にカラーパターンが含まれない状態から含まれる状態に変化するタイミングを検出する原稿読取り終了タイミング生成手段と、を備え、前記読取制御手段は、前記原稿読取り開始タイミング生成手段が生成したタイミングに基づいて原稿の読取りを開始し、前記原稿読取り終了タイミング生成手段が生成したタイミングに基づいて原稿の読取りを終了することを特徴とする。
【００１５】
請求項３の発明は、請求項２に記載の原稿読取装置において、前記カラーパターンが赤、緑、青に着色されたドット又はラインから構成されることを特徴とする。
【発明の効果】
【００１６】
請求項１の発明によれば、原稿押さえプレートの読取りヘッドに対向する面上に読取りラインに沿って赤、緑、青に着色されたドットが配置され、読取りヘッドは、読取りヘッドが読取る画像情報中にドットの画像が含まれる状態から含まれない状態に変化するタイミングに基づいて原稿の読取りを開始し、読取りヘッドが読取る画像情報中にドットの画像が含まれない状態から含まれる状態に変化するタイミングに基づいて原稿の読取りを終了するように構成されるので、接近センサを省略することができると共に原稿の種類の如何に関わらず読取りヘッドによる読取り開始と読取り終了のタイミングを常に適正なタイミングに制御できる。
【００１７】
請求項２の発明によれば、原稿押さえプレートの読取りヘッドに対向する面上に読取りラインに沿って特定のカラーパターンが付され、読取りヘッドは、読取りヘッドが読取る画像情報中にカラーパターンの画像が含まれる状態から含まれない状態に変化するタイミングに基づいて原稿の読取りを開始し、読取りヘッドが読取る画像情報中にカラーパターンの画像が含まれない状態から含まれる状態に変化するタイミングに基づいて原稿の読取りを終了するように構成されるので、接近センサを省略することができると共に原稿の種類の如何に関わらず読取りヘッドによる読取り開始と読取り終了のタイミングを常に適正なタイミングに制御できる。
【発明を実施するための最良の形態】
【００１８】
以下、本発明の一実施形態に係る原稿読取装置について、図１乃至図３を参照して説明する。本実施形態の原稿読取装置１は、その上面がガラス等の透明な物質で形成された原稿載置板２（図２参照）を有し、内部にＣＩＳ（Ｃｏｎｔａｃｔ  Ｉｍａｇｅ  Ｓｅｎｓｏｒ）等から構成される読取りヘッド３（図２参照）と、読取りヘッド３を原稿載置板２の下面に沿って副走査方向（矢印Ｙ）へ移動させる駆動機構（不図示）等を収納した読取装置本体４と、読取装置本体４に対してヒンジ（不図示）によって開閉自在に連結され、原稿載置板２上に載置される原稿Ｄを覆う蓋部材としての機能を有する自動給紙ユニット６を備える。
【００１９】
読取りヘッド３は、主走査方向（矢印Ｘ）に沿って配置された読取り素子から構成される読取りラインＬ（図２及び図３参照）を有し、自動給紙ユニット６によって原稿Ｄが自動給紙されるときには、後述する原稿押さえプレート２１の直下位置（読取り位置）Ｐに移動されて停止される（図２参照）。
【００２０】
また、読取りヘッド３は、マイクロプロセッサから構成される読取制御装置２２（読取制御手段、パターン検出手段、原稿読取り開始タイミング生成手段、原稿読取り終了タイミング生成手段）に接続され、読取った画像情報が読取制御装置２２に送信され、読取制御装置２２によって種々の処理を施される。読取制御装置２２については、後に詳述する。
【００２１】
自動給紙ユニット６は、読取装置本体４の上面を覆う平板部材７と、平板部材７の端部に突設された左右の立壁部８、９と、左右の立壁部８、９間を連結するようにして設けられたブリッジ板１１と、を備える。ブリッジ板１１の下方に形成される横長の挿入口１２に先端を挿入するようにして平板部材７の上に載置された原稿Ｄのうち最下位の原稿Ｄが後述する原稿の送り出し機構１３によって前方（図２において左方）へ送り出され、その後Ｕターンされてブリッジ板１１の上方に排出されるように構成されている。
【００２２】
本実施形態の自動給紙ユニット６では、平板部材７の上面７ａによって給紙トレイが構成され、ブリッジ板１１の上面１１ａによって排紙トレイが構成される。図１において給紙トレイ（平板部材７）上に複数枚の原稿Ｄが積載された状態が示され、排紙トレイ（ブリッジ板１１）上に１枚の原稿Ｄが排出された状態が示される。
【００２３】
原稿の送り出し機構１３は、図２に示されるように、ブリッジ板１１の下面に設けられ、コイルスプリング１５によって先端が平板部材７の上面７ａに向かって付勢された係合板１６と、同じく先端が平板部材７の上面７ａに圧接するように固定されたゴム板１７と、平板部材７に回転自在に設けられ外周の上部が平板部材７の上面から露出する第１、第２のフィードローラ１８、１９を備える。
【００２４】
第１のフィードローラ１８の近傍には給紙トレイ（平板部材７）上の原稿Ｄの有無を検出するレバースイッチ（原稿センサ）２０が設けられている。レバースイッチ２０は、読取制御装置２２に接続されている。
【００２５】
レバースイッチ２０からのオン信号が読取制御装置２２に入力されることによって、読取制御装置２２が給紙トレイ上に原稿Ｄが有ることを認識し、図示しないモータを回転させて第１、第２のフィードローラ１８、１９を回転し、先端が係合板１６に当接する位置まで挿入された原稿Ｄのうち最下位の１枚の原稿Ｄがピックアップされて副走査方向（矢印Ｙ）に沿った前方へ送り出される。平板部材７上の原稿Ｄは、読取るべき内容が記載された面が下向きになったフェイスダウンの状態で積載されている。
【００２６】
第１、第２のフィードローラ１８、１９の前方（図２において左方）には、第１、第２のフィードローラ１８、１９によって送り出された原稿Ｄの先端を下方へ屈曲させて読取りヘッド３方向へ案内すると共に原稿Ｄを読取りヘッド３に対して原稿載置板２を隔てて密着させる原稿押さえプレート２１が設けられている。
【００２７】
原稿押さえプレート２１は、長手方向がブリッジ板１１と同様に左右の立壁部８、９間に亘って水平に延び、縦断面が図２に示されるように略円弧状に形成された樹脂成型体である。原稿押さえプレート２１の長手方向の中央には原稿Ｄを該原稿押さえプレート２１の外周に沿ってＵターンさせる第３のフィードローラ２３が設けられている。
【００２８】
第３のフィードローラ２３は、その外周が原稿押さえプレート２１に開けられた開口２１ａから露出し、第１、第２のフィードローラ１８、１９と同期して回転駆動されることによって給紙トレイ（平板部材７）からピックアップされた１枚の原稿Ｄが給紙トレイ（平板部材７）から排紙トレイ（ブリッジ板１１）へとＵターンして排出される。
【００２９】
また、第３のフィードローラ２３の斜め上方には、スプリング２４によって常時第３のフィードローラ２３方向へ付勢された補助ローラ２５が設けられている。
【００３０】
ブリッジ板１１と原稿押さえプレート２１の上方には、第３のフィードローラ２３によってＵターンされて排出される原稿Ｄを覆うように左右の立壁部８、９間に亘る外装枠２６が取外し自在に固定してあり、補助ローラ２５は、この外装枠２６に支持されている。図１において、外装枠２６は取外された状態で示されている。
【００３１】
以上のように、各フィードローラ１８、１９、２３が同期回転されることによって１枚の原稿Ｄが給紙トレイ（平板部材７）からピックアップされて読取りヘッド３方向へ送り出され、原稿押さえプレート２１によって原稿の先端Ｄａが読取りヘッド３に密着されるが（図２参照）、原稿押さえプレート２１の両端部の読取りヘッド３に対向する面上には、図３に示されるように読取りヘッド３の読取りラインＬに沿って赤、緑、青にそれぞれ着色された６つのドットｄｒ、ｄｇ、ｄｂ（カラーパターン）が配置されている。
【００３２】
本実施形態におけるドットｄｒ、ｄｇ、ｄｂは、原稿押さえプレート２１に対して原稿Ｄが通過する幅領域の両端付近に配置され、それぞれ直径が２ｍｍの小円形であり、互いに１０ｍｍずつ離間されている。また、赤色のドットｄｒ、緑色のドットｄｇ及び青色のドットｄｂが外側から中央に向かって順に配置されている。
【００３３】
次に、原稿の読取り手順について、図４を参照して説明する。ユーザが給紙トレイ（平板部材７）上に原稿Ｄを載置すると、読取制御装置２２が、レバースイッチ２０からのオン信号を受信し（Ｓ１でＹＥＳ）、読取制御装置２２は、読取りヘッド３を読取り位置Ｐへ移動させて所定の時間間隔で読取りヘッド３からライン状の画像情報を取得する（Ｓ２）。このとき取得される画像情報中には６つのドットｄｒ、ｄｇ、ｄｂの画像が含まれ、読取制御装置２２は、読取制御装置２２が有するメモリ２２ａ内に予め記憶されているドットの画像情報と比較することによって画像情報中に同一のドット画像が含まれることを認識する。
【００３４】
次に、読取制御装置２２は、各フィードローラ１８、１９、２３を回転して原稿Ｄを読取り位置Ｐへ送り出す（Ｓ３）。原稿Ｄの先端Ｄａが読取り位置Ｐ（読取りヘッド３の読取りラインＬ位置）に到達すると６つのドットｄｒ、ｄｇ、ｄｂは原稿Ｄによって覆われ、読取制御装置２２は、画像情報中に含まれる６つのドットｄｒ、ｄｇ、ｄｂが消失したことを検出する（Ｓ４でＹＥＳ）。
【００３５】
読取制御装置２２は、取得する画像情報中の６つのドットｄｒ、ｄｇ、ｄｂの画像が消失したことを検出した直後に読取りヘッド３から取得する画像情報を原稿Ｄの読取り画像として認識し、図示しないホストコンピュータへの出力、大容量メモリへの記録、読取り精度の高精度への変更等の通常の原稿画像の読取り処理を行う（Ｓ５）。
【００３６】
ここで、ライン画像中に含まれるドット画像は、所定間隔で現れる赤、緑、青、及び青、緑、赤であり、原稿Ｄの先端にこのような規則的な模様が付されることはほとんどないことから、読取制御装置２２が、原稿Ｄの先端Ｄａが読取り位置Ｐに到達したにも関わらずそれを検出できず、原稿Ｄの読取り開始のタイミングを失してしまう不具合は生じない。
【００３７】
各フィードローラ１８、１９、２３による原稿Ｄの送り出しが進み、原稿Ｄの後端Ｄｂが読取り位置Ｐに到達して通過すると６つのドットｄｒ、ｄｇ、ｄｂは、原稿Ｄによって覆われていた状態が解除され、読取りヘッド３から見て再び露出された状態になり、読取制御装置２２は、画像情報中に６つのドットｄｒ、ｄｇ、ｄｂが現れたことを検出する（Ｓ６でＹＥＳ）。
【００３８】
読取制御装置２２は、取得する画像情報中に６つのドット画像が再び現れたことを検出した直後に原稿Ｄの読取りを終了する（Ｓ７）。
【００３９】
原稿Ｄの読取り終了のタイミングに関しても、原稿Ｄの読取り開始のタイミングと同様に原稿Ｄの後端Ｄｂにこのような規則的な模様が付されることはほとんどないことから、原稿Ｄの後端Ｄｂが読取り位置Ｐを通過したにも関わらずそれを正しく検出できないとか、原稿Ｄの後端Ｄｂが実際に読取り位置Ｐに到達する前に原稿Ｄの後端Ｄｂが読取り位置Ｐに到達したと誤認識してしまうといった不具合は生じない。
【００４０】
また、読取りヘッド３自体によって原稿Ｄの読取り位置Ｐへの到達を検出することができるので、原稿の接近センサが省略される。
【００４１】
さらに、原稿押さえプレート２１に付されるドットｄｒ、ｄｇ、ｄｂ（カラーパターン）は、赤、緑、青に着色された小円形のものに限られず、読取りラインＬに沿って赤、緑、青に着色されたラインｌｒ、ｌｇ、ｌｂであってもよいし（図５参照）、それらのラインｌｒ、ｌｇ、ｌｂが接続されて１本の直線状になったものであってもよい（図６参照）。要するに通常の原稿Ｄには付されない着色模様（カラーパターン）であればよい。
【図面の簡単な説明】
【００４２】
【図１】本発明の一実施形態に係る原稿読取装置の全体斜視図。
【図２】同原稿読取装置における給紙トレイに載置された原稿が読取り位置に送り出される状態を示す側断面図。
【図３】同原稿読取装置における原稿押さえプレートの底面図。
【図４】同原稿読取装置における原稿の読取り手順を示すフローチャート。
【図５】同原稿読取装置における別のカラーパターンが付された原稿押さえプレートの底面図。
【図６】同原稿読取装置におけるさらに別のカラーパターンが付された原稿押さえプレートの底面図。
【符号の説明】
【００４３】
１  原稿読取装置
３  読取りヘッド
７  平板部材（給紙トレイ）
１８  第１のフィードローラ（フィードローラ）
１９  第２のフィードローラ（フィードローラ）
２０  レバースイッチ（原稿センサ）
２１  原稿押さえプレート
２２  読取制御装置（読取制御手段、パターン検出手段、原稿読取り開始タイミング生成手段、原稿読取り終了タイミング生成手段）
２３  第３のフィードローラ（フィードローラ）
Ｄ  原稿
Ｌ  読取りライン
Ｐ  読取り位置
Ｘ  主走査方向
Ｙ  副走査方向
ｄｒ  赤色ドット
ｄｇ  緑色ドット
ｄｂ  青色ドット
ｌｒ  赤色ライン
ｌｇ  緑色ライン
ｌｂ  青色ライン
【図１】
2008104099.tif 000003
【図２】
2008104099.tif 000004
【図３】
2008104099.tif 000005
【図４】
2008104099.tif 000006
【図５】
2008104099.tif 000007
【図６】
2008104099.tif 000008